(57)【特許請求の範囲】
【請求項１】
木枠と、前面ガラスと、機械体取付板とを具備し、
前記木枠の背面側には、前記機械体取付板を嵌合可能な凹部が形成してあり、
前記木枠の前面側には、前記前面ガラスが対接しており、
前記前面ガラスの前面に対接し、前記木枠の側面に対接するＬ字状をなす複数の飾り金具が用いられており、
前記凹部内の前記機械体取付板の背面に対向する複数の調整金具が用いられており、
前記飾り金具と前記調整金具とは連結されており、
前記調整金具の前記機械体取付板に対向する部分には、調整ねじを進退可能に螺合させてあり、
前記調整ねじを進退させて前記調整ねじの前端部にて前記機械体取付板を押圧し、前記木枠を介して前記前面ガラスに押圧力を及ぼして前記前面ガラスの前記飾り金具に対する押圧力を前記調整ねじの前端部の進退により調整可能であり、
前記調整金具は前記機械体取付板の背面及び前記木枠の内面に対向するＬ字状をなし、前記飾り金具と前記調整金具とは、前記木枠の側面に設けた貫通孔を貫通する連結部材により連結されている
ことを特徴とする掛時計。
【請求項２】
請求項１において、前記機械体取付板の背面と前記調整金具との間には、保護板が介装されていることを特徴とする掛時計。
【請求項３】
請求項１または２において、前記機械体取付板は、別部材である文字板と取付板とを一体的に形成したものであることを特徴とする掛時計。
【請求項４】
木枠と、前面ガラスとを具備し、
前記木枠の前面側には、前記前面ガラスが対接しており、
前記前面ガラスの前面に対接し、前記木枠の背面に対向するコ字状をなす複数の飾り金具が用いられており、
前記飾り金具の前記木枠の背面に対向する部分には、調整ねじを進退可能に螺合させてあり、
前記調整ねじを進退させて前記調整ねじの前端部にて前記木枠を押圧し、前記前面ガラスに押圧力を及ぼして前記前面ガラスの前記飾り金具に対する押圧力を調整可能である
ことを特徴とする掛時計。
【請求項５】
請求項４において、前記木枠の背面と前記調整金具との間には、保護板が介装されていることを特徴とする掛時計。
【請求項６】
請求項１乃至５のいずれか１項において、前記木枠の前面側には、前記前面ガラスの厚みの一部を嵌合可能な凹部が形成してあることを特徴とする掛時計。
【発明の詳細な説明】
【０００１】
【発明の属する技術分野】
本発明は掛時計に関する。
【０００２】
【従来の技術】
従来、木枠にガラスを取り付ける際に、ガラスを嵌め込むためのＬ字状の凹部を木枠に形成し、木枠にガラスを嵌め込んだ後でガラスの裏側を押える構成のものがあった。例えば実開昭５８−１４６９８３号には、木製の飾り枠の背面側にガラス板をはめ込むためのＬ字状の凹部を形成し、背面側から凹部に嵌め込んだガラス板の裏側を押え枠で固定した構成が開示されている。また実開平１−１３４１８６号には、Ｌ字状の木枠に背面側からガラスを嵌め込み、弾性のあるガラス押えを用いてガラスを固定した構成が開示されている。
【０００３】
また、ガラス縁を用いて、ガラス縁と木枠との間にガラスを挟み込んで、ガラス縁と木枠とをねじ等で固定する構成のものがあった。
【０００４】
【発明が解決しようとする課題】
前者の場合、背面側にＬ字状の凹部を形成した飾り枠や、押え枠等の部材に製造誤差があり、がたつきが生じた場合などには、部材を交換したりパッキンを挿入したりしてがたつきを防ぐことが必要であった。また弾性のあるガラス押えを用いるとがたつきの防止に効果はあるが、経年変化による弾性力の劣化が避けられないという問題点がある。
【０００５】
また、後者の場合、ガラス縁と木枠とをねじ止めするので押圧力の調整はできるが、ガラス縁が必要であり、デザイン上の制約があるという問題点がある。
【０００６】
そこで本発明は、ガラス縁を必要とせず、前面ガラスを押える押圧力を調整できるようにした掛時計を提供する。
【０００７】
【課題を解決するための手段】
本発明の掛時計は、木枠と、前面ガラスと、機械体取付板とを具備している。前記木枠の背面側には、前記機械体取付板を嵌合可能な凹部が形成してあり、前記木枠の前面側には、前記前面ガラスが対接している。前記前面ガラスの前面に対接し、前記木枠の側面に対接するＬ字状をなす複数の飾り金具が用いられており、前記凹部内の前記機械体取付板の背面に対向する複数の調整金具が用いられている。前記飾り金具と前記調整金具とは連結されており、前記調整金具の前記機械体取付板に対向する部分には、調整ねじを進退可能に螺合させてある。そして前記調整ねじを進退させて前記調整ねじの前端部にて前記機械体取付板を押圧し、前記木枠を介して前記前面ガラスに押圧力を及ぼして前記前面ガラスの前記飾り金具に対する押圧力を前記調整ねじの前端部の進退により調整可能である。前記調整金具は前記機械体取付板の背面及び前記木枠の内面に対向するＬ字状をなし、前記飾り金具と前記調整金具とは、前記木枠の側面に設けた貫通孔を貫通する連結部材により連結されていることを特徴としている。このように構成することで、ガラス縁を必要としないで構成を簡単にでき、前面ガラスを押える押圧力は調整ねじの進退のみにより簡単に調整できるものとなる。
【００１０】
前記機械体取付板の背面と前記調整金具との間には、保護板が介装されていることが好ましい。この構成により、機械体取付板の背面を傷つけることがなく、耐久性が向上する。
【００１１】
前記機械体取付板は、別部材である文字板と取付板とを一体的に形成したものであることが好ましい。
【００１２】
また、木枠と、前面ガラスとを具備し、前記木枠の前面側には、前記前面ガラスが対接している。前記前面ガラスの前面に対接し、前記木枠の背面に対向するコ字状をなす複数の飾り金具が用いられており、前記飾り金具の前記木枠の背面に対向する部分には、調整ねじを進退可能に螺合させてある。そして前記調整ねじを進退させて前記調整ねじの前端部にて前記木枠を押圧し、前記前面ガラスに押圧力を及ぼして前記前面ガラスの前記飾り金具に対する押圧力を調整可能であることを特徴としている。この構成によっても、ガラス縁を必要としないで構成を簡単にでき、前面ガラスを押える押圧力が調整ねじの進退のみにより簡単に調整できるものとなる。
【００１３】
前記木枠の背面と前記調整金具との間には、保護板が介装されていることが好ましい。
【００１４】
また、前記木枠の前面側には、前記前面ガラスの厚みの一部を嵌合可能な凹部が形成してあることが好ましい。この構成によって前面ガラスが所定の位置に安定して保持される。
【００１５】
【発明の実施の形態】
本発明の実施の一形態について図面を参照して説明する。
【００１６】
本発明の掛時計は、木枠１と、前面ガラス２と、機械体取付板３とを備えている。図１に示すような正面形状が円形の掛時計の場合、木枠１は、掛時計の奥行きに対応する幅の帯状の側面形状と台形の正面形状をなす部材を用意し、台形の傾斜端面同士を相互に接合して掛時計の枠体を構成する。図示のように正面形状が円形の場合には、部材の長さを外周長に相当する長さとし、円形に曲げ加工して両端の傾斜端面同士を接着する。正面形状が六角形、八角形等の多角形の場合には、部材の長さを一辺の長さに設定すればよい。
【００１７】
木枠１の前面側には、前面ガラス２の厚みの一部を嵌合可能な凹部１ａが形成してある。また、木枠１の背面側には、機械体取付板３を嵌合可能な凹部１ｂが形成してある。そして、木枠１の前面側の凹部１ａ内に前面ガラス２がその厚みの一部を嵌合させて対接してある。機械体取付板３は、別部材である文字板３１と取付板３２とを一体的に形成したもので、木枠１の背面側の凹部１ｂに嵌合してある。
【００１８】
前面ガラス２と木枠１と機械体取付板３とを連結するために、４個の飾り金具４と４個の調整金具５とを用いている。図２に示すように、飾り金具４は、前面ガラス２の前面に対接する前面部分４ａと、木枠１の側面に対接する側面部分４ｂとでＬ字状をなしており、幅狭の部材である。前面部分４ａの内面には、組立時における前面ガラス２のずれ防止と衝撃吸収を図るために両面接着テープ４ｃを設けている。また、調整金具５は、凹部１ｂ内の機械体取付板３の背面に対向する前面部分５ａと、木枠の内側面に対向する側面部分５ｂとでＬ字状をなしており、飾り金具４とほぼ同じ幅の狭幅のものである。
【００１９】
飾り金具４と調整金具５とは、木枠１に設けた厚み方向の貫通孔１ｃを貫通する連結ねじ６により連結され、木枠１を挟んで対向している。調整金具５の前面部分５ａは機械体取付板３の背面に対向し、この前面部分５ａに調整ねじ７を進退可能に螺合させてある。機械体取付板３の背面を保護するために、機械体取付板３と調整金具５との間に、金属板などによる保護板８を介装させている。調整ねじ７を回転させることにより調整ねじ７は進退し、調整ねじの前端部にて機械体取付板３を押圧可能である。機械体取付板３へ及ぼされる押圧力は、木枠１を介して前面ガラス２に及ぼされ、この押圧力によって前面ガラス２は飾り金具４の前面部分４ａに押し付けられる。このために調整ねじ７の回転により前面ガラス２の飾り金具４に対する押圧力を調整可能である。飾り金具４は固定ねじ９により木枠１に固定されている。
【００２０】
機械体取付板３の背面には、図３に示すように、時計機械体１０が固定されている。時計機械体１０は、中心部に指針軸を回転駆動する機械部１１と、上部に電波時計などの場合には電波を受信するアンテナを含む回路部１２と、下部に操作部１３と、機械部１１と操作部１３との間に電池収納部１４とが、ケース１５に配設されて構成されている。この時計機械体１０は、指針軸を文字板３１の前面に突出させて中心固定されている。指針軸の文字板からの突出端に時針、分針等の指針１６（図１図示）が固定され、文字板３１前面に設けてある時表示文字や分目盛等を指示して時刻を表示可能である。
【００２１】
このような構成であるので、この掛時計を組み立てる際には、作業台上に前面ガラス２の前面が台に接するように載置し、その上に木枠１を載置し、機械体取付板３を木枠１の凹部１ｂ内に嵌合する。次いで飾り金具４を、木枠１の貫通孔１ｃに対向する位置でその前面部分４ａが前面ガラス２の前面に対接するように木枠１の外周側から挿入し、この飾り金具４に対向するように調整金具５を凹部１ｂ内に挿入する。連結ねじ６を飾り金具４の側面部分４ｂの外部から貫通孔１ｃを貫通させて調整金具５にねじ込み、飾り金具４と調整金具５とを連結する。次いで調整金具５の前面部分５ａにねじ合わせてある調整ねじ７を回転し、調整ねじ７の前端部を前進させると、調整ねじ７の前端部に対接する保護板８を押圧し、機械体取付板３を押圧し、前面ガラス２を飾り金具４の前面部分４ａに押し付ける。調整ねじ７を回転してがたつきがなくなる程度の押圧力になるまで調整を行う。調整ができたら固定ねじ９を飾り金具４の側面部分４ｂから木枠１にねじ込んで掛時計の組み立てが完了する。
【００２２】
図４は飾り金具と調整金具とを他の連結手段により連結した例である。この例における飾り金具２４は、先に説明したものと同様な前面部分２４ａと、木枠１の側面に対接する側面部分２４ｂとからなるＬ字状のもので、側面部分２４ｂは木枠１の背面から突出する長さまで延伸している。また調整金具２５は、機械体取付板３の背面に対向する前面部分２５ａと、木枠１の内側面に対向する側面部分２５ｂ及び背面に対向する背面部分２５ｃとからなるクランク形状をなしている。飾り金具２４と調整金具２５とは、側面部分２４ｂの先端部と背面部分２５ｃの先端部との一方に孔２４ｃを、他方に係止部２５ｄを設け、両者を係合させることにより連結してある。その他の実質的に同一の個所には同一の符号を付している。このように構成した場合でも、飾り金具２４と調整金具２５とは孔２４ｃと係止部２５ｄとで連結してあるので、調整ねじ７を回転すれば、調整ねじ７の前端部が進退し、保護板８と機械体取付板３及び木枠１を介して前面ガラス２に押圧力を及ぼすので、前面ガラス２の飾り金具２４に対する押圧力を調整できる。
【００２３】
図５は、飾り金具の形状を変えることで調整金具を不要にした例である。即ち、飾り金具３４は、前面ガラス２の前面に対接する前面部分３４ａと、木枠１の側面に対接する側面部分３４ｂと、木枠１の背面に対向する背面部分３４ｃとからなるコ字状のものである。背面部分３４ｃに前記と同様な調整ねじ７が進退可能に螺合させてあり、調整ねじ７と木枠１の背面との間には、前記と同様な保護板８が介装してある。機械体取付板３は固定ねじ３ａにより木枠１に固定されている。その他の実質的に同一の個所には同一の符号を付している。このように構成した場合でも、飾り金具３４の背面部分３４ｃに螺合させてある調整ねじ７を回転すれば、調整ねじ７の前端部が進退し、木枠１の背面から木枠１を介して前面ガラス２に押圧力を及ぼすので、前面ガラス２の飾り金具３４に対する押圧力を調整できる。
【００２４】
【発明の効果】
このように本発明によれば、調整ねじを回転して進退させることにより、前面ガラスの飾り金具に対する押圧力を調整でき、この調整により部材の製造誤差を吸収できる。また飾り金具で前面ガラスを押えるので、ガラス縁を必要とせず構成を簡単にできる。弾性のあるガラス押えを用いないので、経年変化による弾性力の劣化を心配しなくても良い等、種々の効果がある。
【図面の簡単な説明】
【図１】本発明の実施の一形態を示す正面図である。
【図２】同、要部の拡大断面図である。
【図３】同、背面図である。
【図４】他の例を示す一部の拡大断面図である。
【図５】更に他の例を示す一部の拡大断面図である。
【符号の説明】
１      木枠
１ａ    木枠の前面側の凹部
１ｂ    木枠の背面側の凹部
２      前面ガラス
３      機械体取付板
３１    文字板
３２    取付板
４      Ｌ字状をなす飾り金具
５      調整金具
５ａ    前面部分
５ｂ    側面部分
６      連結部材
７      調整ねじ
８      保護板
２４    Ｌ字状をなす飾り金具
２４ｃ  孔
２５    クランク形状をなす調整金具
２５ｄ  係止部
３４    コ字状をなす飾り金具
【図１】
0003766021.tif 000002
【図２】
0003766021.tif 000003
【図３】
0003766021.tif 000004
【図４】
0003766021.tif 000005
【図５】
0003766021.tif 000006